(57)【特許請求の範囲】
【請求項１】
周辺部に環状の係合部を有するセード本体と、
このセード本体の係合部に着脱可能に係合される環状の装飾枠体と、
前記セード本体に固定されるベース、このベースに対して前記セード本体の係合部との間で装飾枠体を係止する係止位置および装飾枠体の係止を解除する係止解除位置に移動可能に支持される移動体、およびこの移動体を移動操作する操作部を有している取付具と
を備えていることを特徴とするセード装置。
【請求項２】
周辺部に環状の係合部を有するセード本体と、
このセード本体の係合部に着脱可能に係合される環状の装飾枠体と、
前記セード本体に固定されるベース、このベースに対して前記セード本体の係合部との間で装飾枠体を係止する係止位置および装飾枠体の係止を解除する係止解除位置にスライド可能に支持されるスライド体、およびこのスライド体をスライド操作する操作部を有している取付具と
を備えていることを特徴とするセード装置。
【請求項３】
スライド体は、スライド方向と直交する両側縁がベースに対してスライド可能に支持され、
操作部は、スライド体のベースに支持される両側縁間でかつスライド体のスライド方向の中間部から突設されている
ことを特徴とする請求項２記載のセード装置。
【請求項４】
取付具は、ベースに対してスライド体を係止位置および係止解除位置で係脱可能に係合する係合手段を有している
ことを特徴とする請求項２または３記載のセード装置。
【請求項５】
取付具のベースは、セード本体の係合部に固定され、
装飾枠体は、取付具のベースが嵌合する凹部を有している
ことを特徴とする請求項１ないし４いずれか記載のセード装置。
【請求項６】
器具本体と、
この器具本体に着脱可能に取り付けられる請求項１ないし５いずれか記載のセード装置と
を備えていることを特徴とする照明器具。
【発明の詳細な説明】
【０００１】
【発明の属する技術分野】
本発明は、照明器具に用いられるセード装置、およびこのセード装置が用いられた照明器具に関する。
【０００２】
【従来の技術】
従来、例えば、天井直付形の照明器具では、天井面に取り付けられる器具本体、およびこの器具本体の下面側に配置されるランプなどを覆って器具本体に取り付けられるセード装置を備えている。
【０００３】
セード装置は、透光性を有するセード本体を有し、このセード本体の周辺部に装飾枠体を固定したものがある。例えば、図７(a) 〜(d) の各例に示すように、セード本体１の周辺部に装飾枠体２を係合し、これらセード本体１と装飾枠体２とをねじやリベットあるいは爪などの固定手段３で固定するようにしている。この装飾枠体２には表裏があり、この装飾枠体２の表面のみを装飾用として使用するようにしている。
【０００４】
【発明が解決しようとする課題】
しかしながら、従来のセード装置では、セード本体１に装飾枠体２を固定手段３で固定しているため、例えば清掃などのメンテナンス時に、セード本体１から装飾枠体２を取り外そうとしても、固定手段３がリベットの場合には取り外すことが不可能であり、また、固定手段３がねじや爪の場合には取り外すことが可能であるが、ねじや爪を外すのにドライバーなどの工具を必要としており、セード本体に対して装飾枠体を簡単には着脱できない問題を有している。
【０００５】
本発明は、このような点に鑑みなされたもので、セード本体に対して装飾枠体を容易に着脱できるセード装置および照明器具を提供することを目的とする。
【０００６】
【課題を解決するための手段】
請求項１記載のセード装置は、周辺部に環状の係合部を有するセード本体と、このセード本体の係合部に着脱可能に係合される環状の装飾枠体と、前記セード本体に固定されるベース、このベースに対して前記セード本体の係合部との間で装飾枠体を係止する係止位置および装飾枠体の係止を解除する係止解除位置に移動可能に支持される移動体、およびこの移動体を移動操作する操作部を有している取付具とを備えているものである。
【０００７】
そして、この構成では、セード本体の係合部に装飾枠体を係合した状態で、取付具の操作部により移動体を係止位置または係止解除位置に移動操作することで、セード本体に対して装飾枠体が係止または係止解除され、セード本体に対する装飾枠体の着脱が可能となる。
【０００８】
請求項２記載のセード装置は、周辺部に環状の係合部を有するセード本体と、このセード本体の係合部に着脱可能に係合される環状の装飾枠体と、前記セード本体に固定されるベース、このベースに対して前記セード本体の係合部との間で装飾枠体を係止する係止位置および装飾枠体の係止を解除する係止解除位置にスライド可能に支持されるスライド体、およびこのスライド体をスライド操作する操作部を有している取付具とを備えているものである。
【０００９】
そして、この構成では、セード本体の係合部に装飾枠体を係合した状態で、取付具の操作部によりスライド体を係止位置または係止解除位置にスライド操作することで、セード本体に対して装飾枠体が係止または係止解除され、セード本体に対する装飾枠体の着脱が可能となる。
【００１０】
請求項３記載のセード装置は、請求項２記載のセード装置において、スライド体は、スライド方向と直交する両側縁がベースに対してスライド可能に支持され、操作部は、スライド体のベースに支持される両側縁間でかつスライド体のスライド方向の中間部から突設されているものである。
【００１１】
そして、この構成では、スライド体のベースに支持される両側縁間でかつスライド体のスライド方向の中間部からされた操作部を持って、スライド体がスライド操作される。
【００１２】
請求項４記載のセード装置は、請求項２または３記載のセード装置において、取付具は、ベースに対してスライド体を係止位置および係止解除位置で係脱可能に係合する係合手段を有しているものである。
【００１３】
そして、この構成では、係合手段により、ベースに対してスライド体を係止位置および係止解除位置で係脱可能に係合することで、スライド体が係止位置および係止解除位置にスライドしたことが把握されるとともに、スライド体が係止位置および係止解除位置で保持される。
【００１４】
請求項５記載のセード装置は、請求項１ないし４いずれか記載のセード装置において、取付具のベースは、セード本体の係合部に固定され、装飾枠体は、取付具のベースが嵌合する凹部を有しているものである。
【００１５】
そして、この構成では、セード本体の係合部に固定された取付具のベースと装飾枠体の凹部とが嵌合することで、ベース本体と装飾枠体との周方向の位置が位置決めされる。
【００１６】
請求項６記載の照明器具は、器具本体と、この器具本体に着脱可能に取り付けられる請求項１ないし５いずれか記載のセード装置とを備えているものである。
【００１７】
そして、この構成では、請求項１ないし５いずれか記載のセード装置を用いることで、メンテナンス性が向上される。
【００１８】
【発明の実施の形態】
以下、本発明の一実施の形態を図１ないし図６を参照して説明する。
【００１９】
図５および図６において、天井直付形の照明器具11を示し、この照明器具11は、器具本体12、およびセード装置13を備えている。
【００２０】
器具本体12は、略円盤状に形成され、天井面に対して引掛シーリングなどを介して直付けされるもので、器具本体12の下面にランプとしての環形蛍光ランプ15が配置されるとともに、器具本体12の内部に環形蛍光ランプ15を点灯させるインバータなどの図示しない点灯装置などが収容されている。器具本体12の周辺部には、円周上の複数箇所（例えば３箇所）にセード支持具16が取り付けられている。
【００２１】
セード装置13は、器具本体12の下面側を覆って器具本体12に取り付けられるもので、セード本体21を有し、このセード本体21の周辺部に装飾枠体22が着脱可能に係合され、セード本体21の円周上の複数箇所（例えば３箇所）に固定された複数の取付具23で装飾枠体22が係脱可能に係止されている。
【００２２】
そして、セード本体21は、例えば、透光性を有する乳白色のアクリル製で、インジェクション成形によって形成され、緩やかな曲面で下方に突出するセード部25を有し、このセード部25の周辺部には、装飾枠体22が係合される環状のセード側係合部26が形成されているとともに、器具本体12に装着される環状の口部27が形成されている。この口部27の内側に開口部28が形成されている。
【００２３】
図１、図２および図４に示すように、セード側係合部26は、セード部25の周辺部から立ち上げ形成された外周面部29、この周面部29の上端側から内方へ向けて折り曲げ形成された凹段部30、この凹段部30の内縁側から立ち上げ形成された立上部31を有している。
【００２４】
口部27は、立上部31の上端側から内方へ向けて折り曲げられるとともに外方へ向けて折り返された断面略コ字状に形成され、円周上の複数箇所（例えば３箇所）には器具本体12の各セード支持具16に周方向から係脱される支持受部32が形成されている。
【００２５】
また、装飾枠体22は、例えば、合成樹脂製で、上下に別部材を組み合わせた２ピース構造あるいは一体構造にて環状に形成されており、上下間の中心線35を境として第１の枠面部36および第２の枠面部37が形成されている。これら第１および第２の枠面部36，37は、対称形状に形成されるとともに、形態として色彩が異なるように形成されている。なお、色彩には、色の他、模様なども含まれる。
【００２６】
第１および第２の枠面部36，37には、セード本体21のセード側係合部26に上方から着脱可能に係合される枠側係合部38がそれぞれ形成されている。この枠側係合部38は、セード側係合部26の外周面部29に係合される内周面部39、セード側係合部26の凹段部30に係合される凸段部40、セード側係合部26の立上部31に対向される対向部41が形成されている。
【００２７】
装飾枠体22の内周部で円周上の複数箇所（例えば３箇所）には、セード本体21に取り付けられる各取付具23に嵌合する凹部42が形成されている。
【００２８】
また、取付具23は、図１ないし図４に示すように、セード本体21に固定されるベース51、およびこのベース51に対してセード本体21の放射方向（以下、セード本体21の内方をセード本体21側、外方を装飾枠体22側という）にスライド可能に支持される移動体としてのスライド体52を備えている。
【００２９】
ベース51は、セード側係合部26に固定される固定部55を有し、この固定部55には、セード側係合部26の凹段部30から立上部31および口部27の上面にかけて接合される接合板部56が形成され、この接合板部56の両側に側板部57が形成されているとともに中央に取付孔58を有する取付ボス59が形成されている。そして、図示しない取付ねじをセード本体21の内方から取付ボス59に螺着して締め付けることにより、ベース51がセード本体21に固定される。
【００３０】
固定部55の上部にはスライド受部60が形成され、このスライド受部60は、スライド体52の下面を受けるガイド板61、両側板部57の上端から略Ｌ字状に相対して突出形成されてスライド体52の両側縁および上面を受けるガイド片62を有し、これらガイド板61とガイド片62との間にスライド体52の両側縁がスライド可能に係合されるガイド溝63が形成されている。ガイド板61の上面には爪部64が突出形成されているとともに装飾枠体22側の縁部には切欠部65が形成され、両ガイド片62のガイド溝63内のセード本体21側の端部にはガイド溝63内に突出する係合凸部66が形成されている。
【００３１】
また、スライド体52は、ベース51から装飾枠体22側に進出した位置を係止位置とするとともに、ベース51側（セード本体21側）に後退した位置を係止解除位置としており、スライド受部60にスライド可能に係合される四角形板状のスライド板71を有し、このスライド板71の下面の装飾枠体22側には装飾枠体22を上方から押さえる押さえ部72が突出形成され、スライド板68の上面にはスライド受部60で支持される両側縁間でスライド方向の中間部に板状の操作部73が上方に立設されている。この操作部73は、ベース51の両側のガイド片62間を通じてベース51より上方に突出されている。
【００３２】
スライド板71のセード本体21側には爪部64に係合される爪片74が形成され、スライド板71の両側にはセード本体21側と中間部とに係合凹部75，76がそれぞれ形成されている。そして、スライド体52が係止位置に移動した際、爪片74が爪部64に係合するとともに係合凹部75が係合凸部66に係合して係止位置が係脱可能に保持され、また、スライド体52が係止解除位置に移動した際、押さえ部72が切欠部65に係合するとともに係合凹部76が係合凸部66に係合して係止解除位置が係脱可能に保持される。これら爪部64、切欠部65、係合凸部66、爪片74、係合凹部75，76によって、ベース51に対してスライド体52を係止位置および係止解除位置で係脱可能に係合する係合手段77が構成されている。
【００３３】
なお、スライド板71の上面には、押さえ部72の部分から操作部73にかけて複数の補強用のリブ78が形成されている。
【００３４】
次に、本実施の形態の作用を説明する。
【００３５】
セード装置13を組み立てるには、図１(b) および図２(b) に示すように、セード本体21の各取付具23のスライド体52をセード本体21の内方側の係止解除位置に移動させておき、装飾枠体22を上方からセード本体21の周辺部に被せ、装飾枠体22の枠側係合部38をセード本体21のセード側係合部26に係合させる。このとき、装飾枠体22の各凹部42をセード本体21の各取付具23に合わせて係合させる。
【００３６】
図１(a) および図２(a) に示すように、セード本体21の各取付具23のスライド体52をセード本体21の外方側の係止位置に移動させ、押さえ部72を装飾枠体22上に係合させてセード側係合部26との間で装飾枠体22を保持する。
【００３７】
また、組み立てられたセード装置13を天井面に設置された器具本体12に装着するには、セード装置13を器具本体12の下面を覆うように下方から被着させるとともに、被着状態で周方向に回動させてセード本体21の各支持受部32を器具本体12の各セード支持具16に係合させる。
【００３８】
このとき、装飾枠体22の各凹部42とセード本体21の各取付具23とが係合しているので、装飾枠体22を持って回動操作した場合でも、装飾枠体22と一体的にセード本体21も回動して、セード本体21の各支持受部32を器具本体12の各セード支持具16に確実に係合させることができる。
【００３９】
そして、照明器具11の設置状態では、セード装置13の装飾枠体22の例えば第１の枠面部36が下方に向けられている場合、その第１の枠面部36の色彩に応じた外観、雰囲気が得られる。
【００４０】
また、セード装置13および照明器具11の外観、雰囲気を変更する場合には、セード装置13を装着時とは逆の手順で器具本体12から外し、図１(b) および図２(b) に示すように、セード本体21の各取付具23のスライド体52をセード本体21の内方側の係止解除位置に移動させて装飾枠体22の係止を解除し、装飾枠体22をセード本体21から上方に外すとともに裏返し、装飾枠体22の第２の枠面部37側の枠側係合部38をセード側係合部26に係合し、図１(a) および図２(a) に示すように、セード本体21の各取付具23のスライド体52をセード本体21の外方側の係止位置に移動させ、押さえ部72を装飾枠体22上に係合させてセード側係合部26との間で装飾枠体22を保持する。
【００４１】
装飾枠体22を裏返した状態では、装飾枠体22の第２の枠面部37が下方に向けられ、その第２の枠面部37の色彩に応じた外観、雰囲気が得られる。
【００４２】
このように、装飾枠体22に色彩の異なった第１および第２の枠面部36，37を設けるとともに、これら第１および第２の枠面部36，37にセード本体21のセード側係合部26に対して係合される枠側係合部38をそれぞれ設けたので、装飾枠体22の色彩の異なった第１の枠面部36と第２の枠面部37とのいずれかを任意に選択してセード本体21と組み合わせることができ、セード装置13および照明器具11の外観、雰囲気を容易に変更できる。
【００４３】
セード本体21に対して装飾枠体22を着脱する際、セード本体21のセード側係合部26および装飾枠体22は環状であるので、装飾枠体22を容易に着脱できる。
【００４４】
また、取付具23は、上方に突出する操作部73を持ってスライド体52をベース51に対して係止位置または係止解錠位置に容易に移動させることができ、工具などを必要とせず、セード本体21に対して装飾枠体22を係止または係止解除でき、セード本体21に対して装飾枠体22を容易に着脱できる。
【００４５】
特に、操作部73は、スライド体52のベース51に支持される両側縁間でかつスライド体52のスライド方向の中間部から突設されているので、この操作部73を持つことでスライド体52をベース51に対するスライドが安定し、スライド操作を容易にできる。
【００４６】
取付具23によりセード本体21に対して装飾枠体22を容易に係脱できるので、装飾枠体22を裏返したり、セード本体21と装飾枠体22とを分離して清掃などのメンテナンスを容易にできる。
【００４７】
さらに、取付具23は、スライド体52が係止位置に移動した際には、爪片74が爪部64に係合するとともに係合凹部75が係合凸部66に係合して係止位置が係脱可能に保持され、また、スライド体52が係止解除位置に移動した際には、押さえ部72が切欠部65に係合するとともに係合凹部76が係合凸部66に係合して係止解除位置が係脱可能に保持される。このように、ベース51に対してスライド体52を係止位置および係止解除位置で係脱可能に係合するので、スライド体52が係止位置および係止解除位置にスライドしたことを容易に把握できるとともに、スライド体52を係止位置および係止解除位置で保持できる。
【００４８】
なお、前記実施の形態では、移動体としてスライド体52を示したが、スライド体52に代えて、例えば、回動体を用い、この回動体をセード本体21のセード側係合部26との間で装飾枠体22を係止する係止位置および装飾枠体22の係止を解除する係止解除位置に回動させるように構成しても、同様の作用効果を奏する。
【００４９】
また、装飾枠体22の第１の枠面部36と第２の枠面部37とは形態の相違は、色彩に限らず、形状でもよく、また、色彩と形状との両方が異なっていてもよい。
【００５０】
また、前記実施の形態では、環形蛍光ランプ15を使用する丸形の照明器具11のセード装置13について説明したが、例えば、直管形蛍光ランプを使用するような四角形の照明器具のセード装置にも同様に適用でき、同様の作用効果が得られる。
【００５１】
【発明の効果】
請求項１記載のセード装置によれば、セード本体の係合部に装飾枠体を係合した状態で、取付具の操作部により移動体を係止位置または係止解除位置に移動操作するだけで、工具などを必要とせず、セード本体に対して装飾枠体を係止または係止解除でき、セード本体に対して装飾枠体を容易に着脱でき、メンテナンス性を向上できる。
【００５２】
請求項２記載のセード装置によれば、セード本体の係合部に装飾枠体を係合した状態で、取付具の操作部によりスライド体を係止位置または係止解除位置にスライド操作するだけで、工具などを必要とせず、セード本体に対して装飾枠体を係止または係止解除でき、セード本体に対して装飾枠体を容易に着脱でき、メンテナンス性を向上できる。
【００５３】
請求項３記載のセード装置によれば、請求項２記載のセード装置の効果に加えて、スライド体のベースに支持される両側縁間でかつスライド体のスライド方向の中間部から操作部が突設されているので、この操作部を持ってスライド体を容易にスライド操作できる。
【００５４】
請求項４記載のセード装置によれば、請求項２または３記載のセード装置の効果に加えて、係合手段により、ベースに対してスライド体を係止位置および係止解除位置で係脱可能に係合するので、スライド体が係止位置および係止解除位置にスライドしたことを容易に把握できるとともに、スライド体を係止位置および係止解除位置で保持できる。
【００５５】
請求項５記載のセード装置によれば、請求項１ないし４いずれか記載のセード装置の効果に加えて、セード本体の係合部に固定された取付具のベースと、装飾枠体の凹部とが嵌合するので、ベース本体と装飾枠体との周方向の位置を位置決めできる。
【００５６】
請求項６記載の照明器具によれば、請求項１ないし５いずれか記載のセード装置を用いるので、メンテナンス性を向上できる。
【図面の簡単な説明】
【図１】本発明のセード装置および照明器具の第１の実施の形態を示し、(a) は装飾枠体の係止状態の断面図、(b) は装飾枠体の係止解除状態の断面図である。
【図２】同上(a) は装飾枠体の係止状態の平面図、(b) は装飾枠体の係止解除状態の平面図である。
【図３】同上取付具の分解状態の斜視図である。
【図４】同上(a) は装飾枠体の平面図、(b) はセード本体の平面図である。
【図５】同上照明器具の断面図である。
【図６】同上照明器具の斜視図である。
【図７】従来のセード装置の各例を(a) 〜(d) に示す断面図である。
【符号の説明】
11    照明器具
12    器具本体
13    セード装置
21    セード本体
22    装飾枠体
23    取付具
26    係合部としてのセード側係合部
42    凹部
51    ベース
52    移動体としてのスライド体
73    操作部
77    係合手段
【図１】
0004040805.tif 000002
【図２】
0004040805.tif 000003
【図３】
0004040805.tif 000004
【図４】
0004040805.tif 000005
【図５】
0004040805.tif 000006
【図６】
0004040805.tif 000007
【図７】
0004040805.tif 000008